(57)【特許請求の範囲】
【請求項１】
ホース（３）の端末に挿入されるスリーブ（１）と、当該スリーブ（１）を挿入されたホース（３）をその外側から締め付けるリング（４）とを有するホースの継手において、前記スリーブ（１）の外周に周方向に延びる突条（５）が形成され、当該突条（５）の外周面に竹の子状の凹凸条（１０）が形成されており、前記リング（４）がその内面に前記スリーブ（１）の突条（５）に嵌合し得る凹溝（６）を有し、当該凹溝（６）内にさらに内部凹溝（１１）を有し、当該内部凹溝（１１）の縁がエッジ（１２）を形成していることを特徴とする、ホースの継手
【請求項２】
請求項１のホースの継手における前記スリーブ（１）を、内外面に柔軟な被覆層を有するホース（３）の端末に挿入し、当該ホース（３）における前記スリーブ（１）の突条（５）の位置に前記リング（４）を嵌合して締め付け、前記突条（５）とリング（４）の凹溝（６）との間で前記ホース（３）を挟持したことを特徴とする、ホースの継手とホースとの結合構造
【発明の詳細な説明】
【０００１】
【発明の属する技術分野】
本発明はホースの継手に関するものであって、特に大口径のホースの継手において、その継手とホースとを確実に結合することのできる継手構造に関するものである。
【０００２】
【従来の技術】
従来から、ホースの端末に挿入されるスリーブと、当該スリーブを挿入されたホースをその外側から締め付けるリングとを有するホースの継手が知られており、広く使用されている。
【０００３】
この場合通常は図２に示すように、スリーブ１の外周に周方向に延びる凹溝２が形成され、そのスリーブ１の外側にホース３を嵌合し、そのホース３の外側から前記凹溝２の位置で前記リング４を締め付けている。
【０００４】
また他の構造として、実公平６−４９９９３号には、図３に示すように、前記スリーブ１の外周に周方向に延びる突条５が形成されており、前記リング４の内面には前記スリーブ１の突条５に嵌合し得る凹溝６を形成された構造のものが記載されている。
【０００５】
【発明が解決しようとする課題】
しかしながら前述のように、スリーブ１に凹溝２が形成され、当該凹溝２の位置でリング４で締め付けた構造のものは、凹溝２の底部の径がスリーブ１の外径より小さいため、リング４で締め付けたときにホース３に皺がより、送水時にその皺から漏水したり、リング４が水圧で押し拡げられてホース３がスリーブ１から脱落することがあった。
【０００６】
また実公平６−４９９９３号公報に記載したものにあっては、前述のようにホース３に皺がよることはなく、直線状にホース３を設置した状態で使用する限りにおいてはほとんど問題が生じることはないが、ホース３が折れ曲がった状態で設置されたような場合には、その曲がりの外側に力が集中し、ホース３がスリーブ１から脱落することがあった。
【０００７】
特に大口径のホース３の継手においては、曲がりの外側と内側とで長さの差が大きくなり、ホース３の全断面積にかかる圧力が曲がりの外側の極く狭い範囲に集中することとなるため、脱落しやすいのである。
【０００８】
本発明はかかる事情に鑑みなされたものであって、大口径のホースの継手において、ホースとスリーブとが強固に結合され、ホースが曲がっていても容易に脱落することのない構造を提供することを目的とするものである。
【０００９】
【課題を解決するための手段】
而して本発明のホースの継手は、ホースの端末に挿入されるスリーブと、当該スリーブを挿入されたホースをその外側から締め付けるリングとを有するホースの継手において、前記スリーブの外周に周方向に延びる突条が形成され、当該突条の外周面に竹の子状の凹凸条が形成されており、前記リングがその内面に前記スリーブの突条に嵌合し得る凹溝を有し、当該凹溝内にさらに内部凹溝を有し、当該内部凹溝の縁がエッジを形成していることを特徴とするものである。
【００１０】
またホースの継手とホースとの結合構造の発明は、前記発明のホースの継手における前記スリーブを、内外面に柔軟な被覆層を有するホースの端末に挿入し、当該ホースにおける前記スリーブの突条の位置に前記リングを嵌合して締め付け、前記突条とリングの凹溝との間で前記ホースを挟持したことを特徴とするものである。
【００１１】
【発明の実施の形態】
以下本発明の実施の形態を図面に従って説明する。図１は本発明のホースの継手を示すものであって、（ａ）はその半裁側面図、（ｂ）はＢ−Ｂ断面図、（ｃ）は主要部の拡大中央縦断面図である。
【００１２】
本発明は、ホース３の端末に挿入されるスリーブ１と、当該スリーブ１を挿入されたホース３をその外側から締め付けるリング４とを有しており、当該リング４の両端に設けられたフランジ７をボルト８とナット９で締め付けて、リング４の径を縮小するようになっている。
【００１３】
そしてかかる構造のホースの継手において、前記スリーブ１の外周には周方向に延びる突条５が形成されており、前記リング４にはその内面に凹溝６が形成され、ホース３の外側から凹溝６を前記スリーブ１の突条５に嵌合して締め付けるようになっている。
【００１４】
而して本発明においては、前記スリーブ１の突条５の外周面に竹の子状の凹凸条１０が形成されており、また前記リング４の内面の凹溝６内に、さらに深い内部凹溝１１が形成され、当該内部凹溝１１の縁には鋭いエッジ１２が形成されている。
【００１５】
【作用】
本発明においては、リング４の内面の両端部とスリーブ１の外周面との間にホース３を挟圧すると共に、前記内部凹溝１１の縁のエッジ１２と突条５との間でもホース３を挟持する。
【００１６】
そのため前記図３の従来例においては、リング４の内面とスリーブ１の外面との間の全体でホース３を挟持していたのに対し、本発明においては四か所において局部的に挟圧することとなり、ホース３に作用する挟圧力は局部的に集中して作用し、ホース３の滑りを阻止する。
【００１７】
また、前記突条５の外周面に竹の子状の凹凸条１０が形成されているので、ホース３の表面が当該凹凸条１０に引っ掛かって摩擦抵抗が増し、ホース３が滑りにくくなる。
【００１８】
またホース３の内外面にゴム又は合成樹脂の柔軟な被覆層を有するものの場合には、前記凹凸条１０と前記エッジ１２がその被覆層に食い込み、ホース３はさらに滑りにくくなる。
【００１９】
【発明の効果】
従って本発明によれば、ホース３とスリーブ１とが強固に結合され、大口径のホースの継手において、ホースが曲がって設置されたような場合においても、ホース３が容易に脱落することがない。
【００２０】
本発明の効果を確認するために、以下の試験を行った。すなわち、図３に示す従来の継手の構造と、図１に示す本発明の継手の構造により、それぞれ口径２００mmのホースの継手を製作した。
【００２１】
そして図４に示すように、口径２００mm、長さ１ｍのホース３の両端にそれぞれ前記継手１３を取り付け、当該継手１３を閉鎖板１４で閉鎖し、一方の継手１３をフレーム１５に水平に取り付け、当該一方の継手１３でホース３及び他方の継手１３を支持する。
【００２２】
この状態でホース３内を水で満たし、前記他方の継手１３に重り１６を吊り下げ、ホース３内の水を加圧する。前記重り１６は７０kg、１４０kg及び２１０kgのものを使用し、それぞれ０．３MPaまで加圧して１０分間保持し、異常がなけ ればより重い重り１６に交換した。
【００２３】
なお前記重り１６の重量はそれぞれ、２ｍ、４ｍ及び６ｍの長さの満水状態のホース３を曲げた状態で使用したときに、継手１３に作用する荷重に相当するものである。
【００２４】
この試験の結果、従来例の継手においては、７０kgの重り１６を吊り下げた状態で、ホース３内の圧力を０．２８MPaまで昇圧したときに、ホース３が継手１ ３から離脱した。
【００２５】
これに対し本発明の継手においては、７０kgの重り１６を吊り下げた状態で０．３MPaまで昇圧して１０分間放置し、次いで一旦減圧して重り１６の重量を１ ４０kgまで増やして０．３MPaまで昇圧して１０分間放置し、さらに再度減圧し て重り１６の重量を２１０kgまで増して０．３MPaまで昇圧して１０分間放置し たが、その間にホース３が継手１３から離脱することはなく、また結合状態にも異常は見られなかった。
【００２６】
このように本発明によれば、ホース３とスリーブ１との結合は極めて強固であり、大口径のホースの継手において、ホースを折り曲げる力が作用するような状態で設置されたような場合においても、ホース３が継手１３から脱落することがなく、安定して使用することができる。
【図面の簡単な説明】
【図１】  本発明のホースの継手を示すものであって、（ａ）は半裁中央縦断面図、（ｂ）は（ａ）におけるＢ−Ｂ断面図、（ｃ）は主要部の拡大中央縦断面図である。
【図２】  従来のホースの継手の主要部の拡大中央縦断面図
【図３】  従来の他のホースの継手の主要部の拡大中央縦断面図
【図４】  本発明の効果を確認する試験をする状態の中央縦断面図
【符号の説明】
１  スリーブ
３  ホース
４  リング
５  突条
６  凹溝
１０  凹凸条
１１  内部凹溝
１２  エッジ
【図１】
0004011343.tif 000002
【図２】
0004011343.tif 000003
【図３】
0004011343.tif 000004
【図４】
0004011343.tif 000005